(57)【要約】〔課題〕  材質の異なるラップフイルムを総じて切断可能な切断する刃を設ける、切断する刃を接合するラップフイルム収納ケースに、取り出し口、飛び出し防止具、蓋開閉補助具、回転補助具、定位置止めを有する自由可動の飛び出し防止具、蓋の開閉にともなって同開閉を行う飛び出し防止具、引き出し口等を設け、使用分を引き出して切断するまでの行定を安易に完了可能にする、使用中切断する刃の先端で軽い傷を受けることをなくし、こねなくても使用分を引き出した状態で切断可能にする、〔解決手段〕  請求項１に記載の、溝状の空間、溝状の空間に押入可能な垂下面下部、蓋開閉補助具、刃の先端が収納ケース本体前面を指向可能な諸刃形切断する刃、飛び出し防止具、取り出し口、引き出し口、カーブを有する回転補助具を有する収納ケースを設ける、請求項２に記載の、後面側蓋、前面側蓋、定位置止めを有し自由可動の飛び出し防止具、等々を用いた収納ケースを設ける、【選択図】  図１
2005035665.tif 000002
【特許請求の範囲】
【請求項１】
使用分を引き出した状態で切断可能な収納ケースであって、下記の（ａ）〜（ｇ）で構成を有することを特徴とするラップフイルム収納ケース
（ａ）前面、後面、横左面、横右面、底板からなるラップフイルム収納ケース本体に、天板、横左垂下面、横右垂下面、前面垂下面からなる蓋を、収納ケース本体後面上端に連設している
（ｂ）収納ケース本体前面に対向する位置に溝状の空間を挟み直立面を設けている
（ｃ）前面垂下面の上部に蓋開閉補助具を設け、該垂下面の下部が溝状の空間に挿入可能となっている
（ｄ）蓋天板裏面に蓋の開閉にともなって同開閉を行う飛び出し防止具を設けている
（ｅ）諸刃形切断する刃の先端が、収納ケース本体前面を指向可能に成形し直立面上部に接合している
（ｆ）収納ケース本体前面上端に飛び出し防止具を設け、カーブを有する回転補助具を内側に連設している
（ｇ）収納ケース本体前面上端に設けた飛び出し防止具の、ほぼ中央部分に取り出し口を設け、蓋を開くと引き出し口になる引き出し口を隣設している、使用分を引き出したラップフイルムが諸刃形切断する刃の先端に直接当り、引き出した状態で、こねなくても切断可能なことを特徴とするラップフイルム収納ケース
【請求項２】
使用分を引き出した状態で切断可能な収納ケースであって、下記の（ａ）〜（ｇ）で構成を有することを特徴とするラップフイルム収納ケース
（ａ）前面、後面、横左面、横右面、底板からなる収納ケース本体に、横左垂下面、横右垂下面を有し開閉自在で定着可能な後面側蓋を、収納ケース本体後面上端に連設している
（ｂ）横左垂下面、横右垂下面、前面垂下面を有し開閉自在な前面側蓋を後面側蓋の前面
に連設している
（ｃ）切断する刃の先端が収納ケース本体前面を指向可能に成形し、前面垂下面下部に接合している
（ｄ）該垂下面上部に蓋開閉補助具を設けている
（ｅ）後面側蓋の裏面に定位置止めを有し自由可動の飛び出し防止具を設けている
（ｆ）収納ケース本体前面上端に飛び出し防止具を設け、連設して内側にカーブを有する回転補助具を設けている
（ｇ）収納ケース本体前面上端に設けた飛び出し防止具の、ほぼ中央部分に取り出し口を設け、蓋を開くと引き出し口が生じる引き出し口を隣設している、後面側蓋、前面側蓋、定位置止めを有する自由可動の飛び出し防止具、取り出し口、回転補助具等が協力して使用分を安易に引き出し、引き出した状態で、こねなくても切断可能なことを特徴とする、請求項１に記載のラップフイルム収納ケース
【請求項３】
接合すると刃の先端がラップフイルム収納ケース本体前面を指向し、先に１個所を切断する刃を始め、先に複数以上の個所を切断した後に継続して残余の部分を切断可能とした下記の（ａ）〜（ｊ）で構成を有する、個々に形状の異なる切断する刃
（ａ）諸刃形切断する刃（ｂ）すべり台形切断する刃（ｃ）波うねり形切断する刃（ｄ）傾斜形切断する刃（ｅ）凹部形切断する刃（ｆ）凸部形切断する刃（ｇ）湾曲形切断する刃（ｈ）すり鉢形切断する刃（ｉ）直線形切断する刃（ｊ）長短形切断する刃、等の切断する刃を設ける
該切断する刃のなかより１を選択してラップフイルム収納ケースに接合してなる、請求項１に記載のラップフイルム収納ケース
【請求項４】
ラップフイルム収納ケース本体内に収納する防止具であって下記の（ａ）〜（ｂ）で構成を有することを特徴とする防止具
（ａ）ラップフイルム収納ケース本体前面上端を延長し内側に折曲し、ほぼ中央部分に取り出し口を有する飛び出し防止具を設け、該飛び出し防止具の端をさらに延長して帯状の自由可動で定着可能な回転補助具を兼用する飛び出し防止具を設け、該飛び出し防止具が引き出し口を残しラップフイルムを巻装状態とした後に、収納ケース本体内に定着可能とした防止具を、収納ケース本体前面上端に連設している
（ｂ）上記（ａ）に示す防止具を収納ケース本体と別離して、ラップフイルムを被包状態とする着脱自在で定着可能な回転補助具を兼用する飛び出し防止具を設け、ラップフイルムを防止具内に収納した後に収納ケース本体内に定着可能とした防止具を適合可能に成形し別途に設けている、該防止具のなかより１を選択しラップフイルム収納ケース本体内に定着してなる、請求項１に記載のラップフイルム収納ケース
【請求項５】
請求項１の（ｃ）に記載の蓋開閉補助具を補強物質に連設し、該補強物質の形状を収納ケース蓋前面垂下面とほぼ同形とした補強物質を有する蓋開閉補助具を別途に設け、収納ケース蓋前面垂下面に接合してなる、請求項１に記載のラップフイルム収納ケース
【発明の詳細な説明】
〔技術分野〕
【０００１】  ラップフイルムを収納ケースに収納し、使用分を引き出したラップフイルムを切断する刃と収納ケースにかかわるものである
〔背景技術〕
【０００２】  ラップフイルムを使用分引き出して切断する時、ラップフイルムが切断する刃の横側に当るので収納ケースを内側に、こねて切断している、次回使用する時ラップフイルムの端部分が、収納ケース本体前面に密着しているので摘むことが困難である、飛び出し防止具を設けているが、いちど収納が完了すると取り出しは不可能に近い状態である、ラップフイルムが半ば使用済になると自重が軽くなり使用分を引き出し時に、収納ケース本体内を上方に移動して収納ケース本体内より飛び出すことが多々生じて困難を覚えている、蓋の開閉に親指が滑り障害が生じている、（例えば、特公平７−６４３５５を参照）
【０００３】  ラップフイルム収納ケース本体後面上端に連設している蓋の中央部分を山形状に突出させて、使用分を引き出したラップフイルムを切断する刃の先端を、蓋の先端と同方行にして接合している、切断時において山形状に突出させた部分を親指で強くおさえて、収納ケースを内側にこねてラップフイルムを反対方向に引くと切断出来るが、ポリエチレンラップは切断不可能である、蓋の開閉時において、収納ケースを片手で持ち持った手の親指を動かして開閉を行うが、行動が多すぎて空滑りが生じる、使用中切断する刃の先端で軽い傷を受けることが生じる、（例えば、特公平７−１００５０７号を参照）
〔特許文献１〕
特公平７−６４３５５号
〔特許文献２〕
特公平７−１００５０７号
〔非特許文献１〕
発売元、株式会社ダイエー、ポリエチレンラップ
〔発明の開示〕
〔発明が解決しようとする課題〕
【０００４】  材質の異なるラップフイルムも総じて切断可能な切断する刃を設ける、次回使用分を引き出し時ラップフイルムを安易に摘み引き出せるようにする、引き出し時にラップフイルムが収納ケース本体内より飛び出さないようにする、飛び出し防止具、蓋開閉補助具、定位置止め、回転補助具等を設け、引き出して切断するまでの行定を安易に完了可能にする、使用中切断する刃の先端で軽い傷を受ける障害が時々生じるがこれを皆無にする
〔課題を解決するための手段〕
【０００５】  切断する刃の先端が収納ケース本体前面を指向可能に成形した切断する刃を設け、使用分を引き出したラップフイルムが切断する刃の先端に直接当るようにする、収納ケース本体前面に対向する位置に溝状の空間を挟み直立面を設ける、蓋前面垂下面下部が溝状の空間に挿入可能に成形する、使用分を引き出したラップフイルムがＵ字形回路を通過して切断する刃の先端に致達可能に成形する、蓋天板の裏に蓋の開閉にともなって同開閉を行う飛び出し防止具を設ける、収納ケース本体前面上端内側に飛び出し防止具を設け、連設してカーブを有する回転補助具を設ける、該飛び出し防止具のほぼ中央に取り出し口を設け、取り出し口に隣設して蓋を開くと引き出し口になる引き出し口を設ける、蓋前面垂下面上部に蓋開閉補助具を設ける、別途に前面側蓋、後面側蓋、定位置止めを有する飛び出し防止具を接合した収納ケースを設ける且長期間使用可能な材質を用い収納ケースを設ける
〔発明の効果〕
【０００６】  切断する刃の先端が収納ケース本体前面を指向しているので、使用中切断する刃の先端で傷を受ける障害がなくなる、個々に異なるラップフイルムを総じて切断可能となる、密着の心配もなくなりラップフイルムの端部分を摘み安易に次回使用分を引き出せる、蓋の開閉が快適にできるので収納ケース本体内にラップフイルムを着脱時の心配がなくなる、引き出した状態で切断が安易に可能になる、切断時何の障害もなくなり安心して使用できる、収納ケースを長期間使用するとゴミ問題のいつ端を解消し少々世の中に貢献できる
〔発明を実施するための最良の形態〕
【０００７】  Ｕ字形回路の指示体となる前面垂下面下部が使用分を引き出したラップフイルムを、溝状の空間に挿入しＵ字形回路を通過した状態となり、収納ケース本体前面を指向する切断する刃の先端に直接当り、引き出した状態で安易に切断可能になる、蓋開閉補助具を前面垂下面上部に設けたことで蓋の開閉が安易に可能になる、収納ケース本体前面上端ほぼ中央に取り出し口を設けたことで、密着の心配がなくなり次回引き出し時にラップフイルムの端部分を安易に摘み引き出すことが可能になる
〔実施例〕
【０００８】  以下、本発明の実施例を図に基ずいて説明する
【０００９】  図１は、請求項１に記載のラップフイルム収納ケースの実施の形態を示す、前面１、後面２、横左面３、横右面４、底板５、天板７、横左垂下面８、横右垂下面９、前面垂下面１０、蓋１１、収納ケース本体後面上端１２、溝状の空間１３、直立面１４、蓋開閉補助具１５、前面垂下面下部１６、蓋天板裏面１７、蓋の開閉にともなって同開閉を行う飛び出し防止具１８、諸刃形切断する刃１９、直立面上部２０、収納ケース本体前面上端に設けた飛び出し防止具２１、カーブを有する回転補助具２２、取り出し口２３、引き出し口２４、連設部分３６、収納ケース本体６となっている
【００１０】  図２は、図１に示す、収納ケース本体６内にラップフイルム２５を収納し使用分を引き出した状態を示す、ラップフイルムの端部分２６、蓋の開閉にともなって同開閉を行う飛び出し防止具１８、蓋開閉補助具１５、前面垂下面下部１６、直立面１４、諸刃形の切断する刃１９、収納ケース本体前面上端に設けた飛び出し防止具２１、カーブを有する回転補助具２２、蓋１１、連設部分３６、なを、横左垂下面、横右垂下面の図は記入なしとしている、前面垂下面下部１６は適合可能に形状を変化させ成形するも可能となっている
【００１１】  図３は、図２に示す、使用分を引き出して蓋１１を閉じると前面垂下面下部１６が溝状の空間１３に挿入し、ラップフイルム２５がＵ字形回路２８を通過して諸刃形切断する刃１９の先端に到達したことを示す、ラップフイルムの端部分２６、蓋の開閉にともなって同開閉を行う飛び出し防止具１８、蓋開閉補助具１５、直立面１４、カーブを有する回転補助具２２、連設部分３６となっている、なを、横左垂下面、横右垂下面の図は記入なしとなっている
【００１２】  図４は、請求項２に記載のラップフイルム収納ケースの実施の形態を示す、収納ケース本体６、横左垂下面８、後面側蓋２９、収納ケース本体後面上端１２、前面側蓋３０、切断する刃の先端３１、収納ケース本体前面３２、前面垂下面下部１６、蓋開閉補助具１５定位置止めを有し自由可動の飛び出し防止具２７、収納ケース本体前面上端に設けた飛び出し防止具２１、カーブを有する飛び出し防止具２２、取り出し口２３、引き出し口２４前面側蓋の横左垂下面３３、前面側蓋の横右垂下面３４、前面側蓋の前面垂下面３５、連設部分３６となっている
【００１３】  図５は、図４に示す、収納ケース本体６内にラップフイルム２５を収納した状態を示し、なを、後面側蓋２９、前面側蓋３０が開放していることを示している、蓋開閉補助具１５、前面垂下面下部１６、切断する刃の先端３１、連設部分３６、定位置止め３７、自由可動の飛び出し防止具３８、支持体３９、ラップフイルムの端部分２６、収納ケース本体前面３２、前面側蓋の前面垂下面３５となっている。
【００１４】  図６は、図５に示す、ラップフイルム２５を使用分を引き出し、後面側蓋２９、前面側蓋３０を閉じて、ラップフイルム２５が切断可能になった状態を示す、なを、切断する刃の先端３１が収納ケース本体前面３２を指向していることを示す、連設部分３６、定位置止め３７、自由可動の飛び出し防止具３８、支持体３９、ラップフイルムの端部分２６、蓋開閉補助具１５、前面側蓋の前面垂下面３５となっている。
【００１５】  図７は、ラップフイルム２５を収納ケース本体６内に収納し、使用分を引き出す途中を示し、なを、定位置止め３７の下方に自由可動の飛び出し防止具３８が位置していることを示す、なを、使用分を引き出し切断時の行定は前面側蓋のみを使用することを示す
【００１６】  図８は、ラップフイルム２５を使用分を引き出し時、半ば使用済になると自重が軽くなり上方に移動することを示す、なを、自由可動の飛び出し防止具３８が定位置止め３７に到達すると停止することを示す、ラップフイルムの端部分２６、前面側蓋３０を開くと引き出し口２４が生じることを示す
【００１７】  図９は、自由可動の飛び出し防止具３８は後面側蓋２９に連設も可能なことを示す、なを、切断する刃の先端３１が収納ケース本体前面３２に指向する角度は、ラップフイルムの材質にあわせ変化成形して使用可能とする、例えば、諸刃形切断する刃の、いっぽうの刃先端４０を収納ケース本体前面３２に指向させ、他のいっぽうの刃先端４１を他方に指向させることも可能なことを示す、ラップフイルム２５、ラップフイルムの端部分２６となっている
【００１８】  図１０は、請求項３に記載の、諸刃形切断する刃１９を示す、いっぽうの刃先端４０が指向する方向と、他方に指向した刃先端４１の方向が異なっている、いっぽうの刃先端４０が使用分を引き出したラップフイルムを先に切断した後に、継続して他方に指向した刃先端４１が残余の部分を切断し、切断が完了することを示している、支持体３９
【００１９】  図１１は、請求項３に記載の、すべり台形切断する刃４９を示す、なを、先に切断する刃５０を示している、支持体３９
【００２０】  図１２は、請求項３に記載の、波うねり形切断する刃５１を示す、なを、先に切断する刃５０を示している、支持体３９
【００２１】  図１３は、請求項３に記載の、傾斜形切断する刃５２を示す、なを、先に切断する刃５０を示している、支持体３９
【００２２】  図１４は、請求項３に記載の、凹部形切断する刃５３を示す、なを、先に切断する刃５０を示している、支持体３９
【００２３】  図１５は、請求項３に記載の、凸部形切断する刃５４を示す、なを、先に切断する刃５０を示している、支持体３９
【００２４】  図１６は、請求項３に記載の、湾曲形切断する刃５６を示す、なを、先に切断する刃５０を示している、支持体３９
【００２５】  図１７は、請求項３に記載の、すり鉢形切断する刃５５を示す、なを、先に切断する刃５０を示している、支持体３９
【００２６】  図１８は、請求項３に記載の、直線形切断する刃５７を示す、なを、先に切断する刃５０を示している、支持体３９
【００２７】  図１９は、請求項３に記載の、長短形切断する刃５８を示す、なを、長く突出した刃４４が先に切断する刃５０になっている、短くした刃４５が継続して残余の部分を切断して切断が完了することを示している、支持体３９
【００２８】  図２０は、請求項４（ａ）に記載の自由可動の回転補助具を兼用する飛び出し防止具５９が、収納したラップフイルム２５を巻装した状態を示している、なを、蓋開閉補助具１５を蓋１１に連設したことを示す、取り出し部６０、諸刃形切断する刃１９、連設部分３６、収納ケース本体６、収納ケース本体前面上端に設けた飛び出し防止具２１を示す
【００２９】  図２１は、図２０に示す蓋１１を開きラップフイルム２５を収納ケース本体６内に着脱する途中を示す、自由可動の回転補助具を兼用する飛び出し防止具５９の端に設けている取り出し部分６０を摘み、手前に引くとラップフイルム２５は安易に脱出可能になっている、図の状態から下方に軽く押さえると安易に収納が完了し図２０に示す状態となることを示している、蓋開閉補助具１５、諸刃形切断する刃１９、ラップフイルムの端部分２６、飛び出し防止具２１、収納ケース本体前面上端に設けた飛び出し防止具２１を示す
【００３０】  図２２は、請求項４（ｂ）に記載の別途に設けた防止具６１を示している、なを、防止具６１内にラップフイルム２５の収納は横穴６３から収納する、弾力性がある材質を用い防止具６１を設けた場合は引き出し口２４の開閉が自由自在になるので引き出し口２４からも収納可能になる、長期間使用可能な材質を用い防止具６１を設けた場合は半永久的に使用可能となり着脱の心配もなくなり快適に使用可能になる、防止具６１の内周を円形状にしたことで使用分引き出し時ラップフイルム２５の回転がよくなり安易に且快適に使用可能となる、台板６２、取り出し部分６０、横穴６３となっている
【００３１】  図２３は、図２２に示す防止具６１を収納ケース本体６内に収納したことを示す、なを、連設部分３６、蓋１１、別途に設けた防止具６１、取り出し部分６０、蓋開閉補助具１５、諸刃形切断する刃１９、ラップフイルムの端部分２６、ラップフイルム２５、台板６２となっている
【００３２】  図２４は、従来のラップフイルム収納ケース４２に本発明の切断する刃のなかより１を選択し、選択した切断する刃の先端３１が収納ケース本体前面３２を指向可能に接合したことを示す、蓋開閉補助具１５を蓋１１に連設したことを示す、なを、蓋開閉補助具１５は接合も可能になっている、連設部分３６
【００３３】  図２５は、請求項１に記載の収納ケース後面上端１２に、請求項２に記載の後面側蓋２９を連設し、双方を複合して収納ケースを、設けたことを示している、なを、請求項１、請求項２の各々の部分を選択接合してラップフイルム収納ケースを設けるも可能なことを示す、収納ケース本体６、連設部分３６、前面側蓋の横左垂下面３３、蓋開閉補助具１５、前面側蓋３０、前面側蓋の前面垂下面３５、前面垂下面下部１６、前面側蓋の横右垂下
2005035665.tif 000003
曲した切断する刃４６、支持体３９、自由可動の飛び出し防止具３８、取り出し口２３、引き出し口２４、短くした刃４５、直立面１４、長く突出した刃４４、切断する刃の先端３１、カーブを有する回転補助具２２、収納ケース本体前面３２となっている
【００３４】  図２６は、従来のラップフイルム収納ケース本体４２後面上端に連設している蓋１１が有する前面垂下面１６に、従来の切断する刃４７を接合した状態を示す、切断する刃の先端３１は前面垂下面１６と同方向を指向し下向きになっている、使用分を引き出したラップフイルム２５をラップフイルムの端部分２６の方行に引くと、従来の切断する刃の横側４３に当る故に収納ケース本体４２を内側にこねて切断していることを示す、連設部分３６となっている
【００３５】  図２７は、請求項５に記載の補強物質４８を有する蓋開閉補助具１５を別途に設け、従来のラップフイルム収納ケース４２の蓋１１の前面垂下面１０に接合したことを示す、なを、補強物質４８を前面垂下面１０とほぼ同形にして補強することによってラップフイルムを切断時に親指を軽くそえるだけで切断が可能になることを示す、従来の切断する刃４７となっている
【００３６】  図２８は、補強物質４８を有する蓋開閉補助具１５を別途に設けたことを示す、なを、補強物質４８、蓋開閉補助具１５の形状は用途にあわせ変更可能になっている、
【００３７】  図２９は、従来の切断する刃４７の先部分を折曲して、収納ケース本体前面３２を指向可能にし、従来のラップフイルム収納ケース本体４２の、蓋１１が有する前面垂下面１０に接合したことを示す、なを、本発明の切断する刃は用途にあわせ使用可能になっている
〔産業上の利用可能性〕
【００３８】  従来のラップフイルム収納ケースに変り、各家庭、商店、料亭、旅館、等で活躍することが充分に考えらる
【図面の簡単な説明】
【００３９】
【図１】請求項１に記載の実施の形態を示す、立体図
【図２】ラップフイルムを使用分引き出した状態を示す、側面図
【図３】ラップフイルムを切断時の状態を示す、側面図
【図４】請求項２に記載の実施の形態を示す、立体図
【図５】後面側蓋、前面側蓋が開放したことを示す、側面図
【図６】ラップフイルムを切断時の状態を示す、側面図
【図７】定位置止めを示す、側面図
【図８】自由可動の飛び出し防止具が定位置で止まったことを示す、側面図
【図９】自由可動の飛び出し防止具は後面側蓋に連設も可能なことを示す、側面図
【図１０】諸刃形切断する刃を示す、斜視図
【図１１】すべり台形切断する刃を示す、斜視図
【図１２】波うねり形切断する刃を示す、斜視図
【図１３】傾斜形切断する刃を示す、斜視図
【図１４】凹部形切断する刃を示す、斜視図
【図１５】凸部形切断する刃を示す、斜視図
【図１６】湾曲形切断する刃を示す、斜視図
【図１７】すり鉢形切断する刃を示す、斜視図
【図１８】直線形切断する刃を示す、斜視図
【図１９】長短形切断する刃を示す、斜視図
【図２０】自由可動の回転補助具を兼用する飛び出し防止具がラップフイルムを巻装状態としたことを示す、側面図
【図２１】ラップフイルムの着脱の途中を示す、側面図
【図２２】請求項４（ｂ）に記載の防止具の形態を示す、立体図
【図２３】図２２に示す防止具を収納ケース本体内に定着したことを示す、側面図
【図２４】従来のラップフイルム収納ケースに本発明の切断する刃を接合し、なを蓋開閉補助具を連設したことを示す、側面図
【図２５】請求項１に示す収納ケース本体部分、請求項２に示す蓋部分を選択接合し、ラップフイルム収納ケースを設けたことを示す、立体図
【図２６】従来のラップフイルム収納ケースを示す、側面図
【図２７】補強物質を有する蓋開閉補助具を従来のラップフイルム収納ケースの前面垂下面に接合したことを示す、立体図
【図２８】補強物質を有する蓋開閉補助具を別途に設けたことを示す、立体図
【図２９】従来のラップフイルム収納ケースに接合している切断する刃の先部分を折曲し収納ケース本体前面を指向させたことを示す、立体図
【符号の説明】
【００４０】１  前面
２  後面
３  横左面
４  横右面
５  底板
６  収納ケース本体
７  天板
８  横左垂下面
９  横右垂下面
１０  前面垂下面
１１  蓋
１２  収納ケース本体後面上端
１３  溝状の空間
１４  直立面
１５  蓋開閉補助具
１６  前面垂下面下部
１７  蓋天板裏面
１８  蓋の開閉にともなって同開閉を行う飛び出し防止具
１９  諸刃形切断する刃
２０  直立面上部
２１  収納ケース本体前面上端に設けた飛び出し防止具
２２  カーブを有する回転補助具
２３  取り出し口
２４  引き出し口
２５  ラップフイルム
２６  ラップフイルムの端部分
２７  定位置止めを有し自由可動の飛び出し防止具
２８  Ｕ字形回路
２９  後面側蓋
３０  前面側蓋
３１  切断する刃の先端
３２  収納ケース本体前面
３３  前面側蓋の横左垂下面
３４  前面側蓋の横右垂下面
３５  前面側蓋の前面垂下面
３６  連設部分
３７  定位置止め
３８  自由可動の飛び出し防止具
３９  支持体
４０  いっぽうの刃先端
４１  他方を指向した刃先端
４２  従来のラップフイルム収納ケース本体
４３  従来の切断する刃の横側
４４  長く突出した刃
４５  短くした刃
2005035665.tif 000004
４７  従来の切断する刃
４８  補強物質
４９  すべり台形切断する刃
５０  先に切断する刃
５１  波うねり形切断する刃
５２  傾斜形切断する刃
５３  凹部形切断する刃
５４  凸部形切断する刃
５５  湾曲形切断する刃
５６  すり鉢形切断する刃
５７  直線形切断する刃
５８  長短形切断する刃
５９  自由可動の回転補助具を兼用する飛び出し防止具
６０  取り出し部分
６１  別途に設けた防止具
６２  台板
６３  横穴
【図１】
2005035665.tif 000005
【図２】
2005035665.tif 000006
【図３】
2005035665.tif 000007
【図４】
2005035665.tif 000008
【図５】
2005035665.tif 000009
【図６】
2005035665.tif 000010
【図７】
2005035665.tif 000011
【図８】
2005035665.tif 000012
【図９】
2005035665.tif 000013
【図１０】
2005035665.tif 000014
【図１１】
2005035665.tif 000015
【図１２】
2005035665.tif 000016
【図１３】
2005035665.tif 000017
【図１４】
2005035665.tif 000018
【図１５】
2005035665.tif 000019
【図１６】
2005035665.tif 000020
【図１７】
2005035665.tif 000021
【図１８】
2005035665.tif 000022
【図１９】
2005035665.tif 000023
【図２０】
2005035665.tif 000024
【図２１】
2005035665.tif 000025
【図２２】
2005035665.tif 000026
【図２３】
2005035665.tif 000027
【図２４】
2005035665.tif 000028
【図２５】
2005035665.tif 000029
【図２６】
2005035665.tif 000030
【図２７】
2005035665.tif 000031
【図２８】
2005035665.tif 000032
【図２９】
2005035665.tif 000033
【手続補正書】
【提出日】平成16年4月15日(2004.4.15)
【手続補正１】
【補正対象書類名】図面
【補正対象項目名】補正の内容のとおり
【補正方法】変更
【補正の内容】
2005035665.tif 000034
2005035665.tif 000035
【手続補正書】
【提出日】平成16年8月16日(2004.8.16)
【手続補正１】
【補正対象書類名】手続補正書
【補正対象項目名】手続補正１
【補正方法】変更
【補正の内容】
【手続補正１】
【補正対象書類名】図面
【補正対象項目名】図３０
【補正方法】追加
【補正の内容】
2005035665.tif 000036
【手続補正２】
【補正対象書類名】手続補正書
【補正対象項目名】手続補正２
【補正方法】追加
【補正の内容】
【手続補正２】
【補正対象書類名】図面
【補正対象項目名】図３１
【補正方法】追加
【補正の内容】
2005035665.tif 000037
【手続補正３】
【補正対象書類名】手続補正書
【補正対象項目名】手続補正３
【補正方法】追加
【補正の内容】
【手続補正３】
【補正対象書類名】明細書
【補正対象項目名】全文
【補正方法】変更
【補正の内容】
〔書類名〕明細書
〔発明の名称〕ラップフイルム収納ケース
〔技術分野〕
〔０００１〕
ラップフイルムを収納ケースに収納し、使用分を引き出したラップフイルムを切断する刃と収納ケースにかかわるものである。
〔背景技術〕
〔０００２〕
ラップフイルムを使用分引き出して切断する時、ラップフイルムが切断する刃の横側に当るので収納ケースを内側に、こねて切断している、次回使用するラップフイルムの端部分が、収納ケース本体前面に密着しているので摘むことが困難である、飛び出し防止具を設けているが、いちど収納が完了すると取り出しは不可能に近い状態である、ラップフイルムが半ば使用済になると自重が軽くなり使用分を引き出し時に、収納ケース本体内を上方に移動して収納ケース本体内より飛び出すことが多々生じて困難を覚えている、蓋の開閉に親指が滑り障害が生じている、（例えば、特公平７−６４３５５を参照）
〔０００３〕
ラップフイルム収納ケース本体後面上端に連設している蓋の中央部分を山形状に突出させて、使用分を引き出したラップフイルムを切断する刃の先端を、蓋の先端と同方行にして接合している、切断時において山形状に突出させた部分を親指で強くおさえて、収納ケースを内側にこねてラップフイルムを反対方向に引くと切断出来るが、ポリエチレンラツプは切断不可能である、蓋の開閉時において、収納ケースを片手で持ち持つた手の親指を動かして開閉を行うが、行動が多すぎて空滑りが生じる、使用中切断する刃の先端で軽い傷を受けることが生じる、（例えば、特公平７−１００５０７号を参照）
〔特許文献１〕
特公平７−６４３５５号
〔特許文献２〕
特公平７−１００５０７号
〔非特許文献１〕
発売元、株式会社ダイエー、ポリエチレンラップ
〔発明の開示〕
〔発明が解決しようとする課題〕
〔０００４〕
材質の異なるラップフイルムも総じて切断可能な切断する刃を設ける、次回使用分を引き出し時ラップフイルムを安易に摘み引き出せるようにする、引き出し時にラップフイルムが収納ケース本体内より飛び出さないようにする、飛び出し防止具、蓋開閉補助具、定位置止め、回転補助具等を設け、引き出して切断するまでの行定を安易に完了可能にする・使用中切断する刃の先端で軽い傷を受ける障害が時々生じるがこれを皆無にする
〔課題を解決するための手段〕
〔０００５〕
切断する刃の先端が収納ケース本体前面を指向可能に成形した切断する刃を設け、使用分を引き出したラップフイルムが切断する刃の先端に直接当るようにする、収納ケース本体前面に対向する位置に溝状の空間を挟み直立面を設ける、蓋前面垂下面下部が溝状の空間に押入可能に成形する、使用分を引き出したラップフイルムがＵ字形回路を通過して切断する刃の先端に到達可能に成形する、蓋天板の裏に蓋の開閉にともなって同開閉を行う飛び出し防止具を設ける、収納ケース本体前面上端内側に飛び出し防止具を設け、連設してカーブを有する回転補助具を設ける、該飛び出し防止具のほぼ中央に取り出し口を設け、取り出し口に隣設して蓋を開くと引き出し口になる引き出し口を設ける、蓋前面垂下面上部に蓋開閉補助具を設ける、別途に前面側蓋、後面側蓋、定位置止めを有する飛び出し防止具を接合した収納ケースを設ける且長期間使用可能な材質を用い収納ケースを設ける
〔発明の効果〕
〔０００６〕
切断する刃の先端が収納ケース本体前面を指向しているので、使用中切断する刃の先端で傷を受ける障害がなくなる、個々に異なるラップフイルムを総じて切断可能となる、密着の心配もなくなりラップフイルムの端部分を摘み安易に次回使用分を引き出せる、蓋の開閉が快適にできるので収納ケース本体内にラップフイルムを着脱時の心配がなくなる、引き出した状態で切断が安易に可能になる、切断時何の障害もなくなり安心して使用できる、収納ケースを長期間使用するとゴミ問題のいつ端を解消し少々世の中に貢献できる
〔発明を実施するための最良の形態〕
〔０００７〕
Ｕ字形回路の指示体となる前面垂下面下部が使用分を引き出したラップフイルムを、溝状の空間に押入しＵ字形回路を通過した状態となり、収納ケース本体前面を指向する切断する刃の先端に直接当り、引き出した状態で安易に切断可能になる、蓋開閉補助具を前面垂下面上部に設けたことで蓋の開閉が安易に可能になる、収納ケース本体前面上端ほぼ中央に取り出し口を設けたことで、密着の心配がなくなり次回引き出し時にラップフイルムの端部分を安易に摘み引き出すことが可能になる
〔実施例〕
〔０００８〕
以下、本発明の実施例を図に基ずいて説明する
〔０００９〕
図１は、請求項１に記載のラップフイルム収納ケースの実施の形態を示す、前面１、後面２、横左面３、横右面４、底板５、天板７、横左垂下面８、横右垂下面９、前面垂下面１０、蓋１１、収納ケース本体後面上端１２、溝状の空間１３、直立面１４、蓋開閉補助具１５、前面垂下面下部１６、蓋天板裏面１７、蓋の開閉にともなって同開閉を行う飛び出し防止具１８、諸刃形切断する刃１９、直立面上部２０、収納ケース本体前面上端に設けた飛び出し防止具２１、カーブを有する回転補助具２２、取り出し口２３、引き出し口２４、連設部分３６、収納ケース本体６となっている
〔００１０〕
図２は、図１に示す、収納ケース本体６内にラップフイルム２５を収納し使用分を引き出した状態を示す、ラップフイルムの端部分２６、蓋の開閉にともなって同開閉を行う飛び出し防止具１８、蓋開閉補助具１５、前面垂下面下部１６、直立面１４、諸刃形の切断する刃１９、収納ケース本体前面上端に設けた飛び出し防止具２１、カーブを有する回転補助具２２、蓋１１、連設部分３６、なを、横左垂下面、横右垂下面の図は記入なしとしている、前面垂下面下部１６は適合可能に形状を変化させ成形するも可能となっている
〔００１１〕
図３は、図２に示す、使用分を引き出して蓋１１を閉じると前面垂下面下部１６が溝状の空間１３に押入し、ラップフイルム２５がＵ字形回路２８を通過して諸刃形切断する刃１９の先端に到達したことを示す、ラップフイルムの端部分２６、蓋の開閉にともなって同開閉を行う飛び出し防止具１８、蓋開閉補助具１５、直立面１４、カーブを有する回転補助具２２、連設部分３６となっている、なを、横左垂下面、横右垂下面の図は記入なしとなっている
〔００１２〕
図４は、請求項２に記載のラップフイルム収納ケースの実施の形態を示す、収納ケース本体６、横左垂下面８、後面側蓋２９、収納ケース本体後面上端１２、前面側蓋３０、切断する刃の先端３１、収納ケース本体前面３２、前面垂下面下部１６、蓋開閉補助具１５定位置止めを有し自由可動の飛び出し防止具２７、収納ケース本体前面上端に設けた飛び出し防止具２１、カーブを有する飛び出し防止具２２、取り出し口２３、引き出し口２４前面側蓋の横左垂下面３３、前面側蓋の横右垂下面３４、前面側蓋の前面垂下面３５、連設部分３６となっている、
〔００１３〕
図５は、図４に示す、収納ケース本体６内にラップフイルム２５を収納した状態を示し、なを、後面側蓋２９、前面側蓋３０が開放していることを示している、蓋開閉補助具１５、前面垂下面下部１６、切断する刃の先端３１、連設部分３６、定位置止め３７、自由可動の飛び出し防止具３８、支持体３９、ラップフイルムの端部分２６、収納ケース本体前面３２、前面側蓋の前面垂下面３５となっている、
〔００１４〕
図６は、図５に示す、ラップフイルム２５を使用分を引き出し、後面側蓋２９、前面側蓋３０を閉じて、ラップフイルム２５が切断可能になった状態を示す、なを、切断する刃の先端３１が収納ケース本体前面３２を指向していることを示す、連設部分３６、定位置止め３７、自由可動の飛び出し防止具３８、支持体３９、ラップフイルムの端部分２６、蓋開閉補助具１５、前面側蓋の前面垂下面３５となっている、
〔００１５〕
図７は、ラップフイルム２５を収納ケース本体６内に収納し、使用分を引き出す途中を示し、なを、定位置止め３７の下方に自由可動の飛び出し防止具３８が位置していることを示す、なを、使用分を引き出し切断時の行定は前面側蓋のみを使用することを示す
〔００１６〕
図８は、ラップフイルム２５を使用分を引き出し時、半ば使用済になると自重が軽くなり上方に移動することを示す、なを、自由可動の飛び出し防止具３８が定位置止め３７に到達すると停止することを示す、ラップフイルムの端部分２６、前面側蓋３０を開くと引き出し口２４が生じることを示す、
〔００１７〕
図９は、自由可動の飛び出し防止具３８は後面側蓋２９に連設も可能なことを示す、なを、切断する刃の先端３１が収納ケース本体前面３２に指向する角度は、ラップフイルムの材質にあわせ変化成形して使用可能とする、例えば、諸刃形切断する刃の、いっぽうの刃先端４０を収納ケース本体前面３２に指向させ、他のいっぽうの刃先端４１を他方に指向させることも可能なことを示す、ラップフイルム２５、ラップフイルムの端部分２６となっている
〔００１８〕
図１０は、請求項３に記載の、諸刃形切断する刃１９を示す、いっぽうの刃先端４０が指向する方向と、他方に指向した刃先端４１の方向が異なっている、いっぽうの刀先端４０が使用分を引き出したラップフイルムを先に切断した後に、継続して他方に指向した刃先端４１が残余の部分を切断し、切断が完了することを示している、支持体３９
〔００１９〕
図１１は、請求項３に記載の、すべり台形切断する刃４９を示す、なを、先に切断する刃５０を示している、支持体３９
〔００２０〕
図１２は、請求項３に記載の、波うねり形切断する刃５１を示す、なを、先に切断する刃５０を示している、支持体３９
〔００２１〕
図１３は、請求項３に記載の、傾斜形切断する刃５２を示す、なを、先に切断する刃５０を示している、支持体３９
〔００２２〕
図１４は、請求項３に記載の、凹部形切断する刃５３を示す、なを、先に切断する刃５０を示している、支持体３９
〔００２３〕
図１５は、請求項３に記載の、凸部形切断する刃５４を示す、なを、先に切断する刃５０を示している、支持体３９
〔００２４〕
図１６は、請求項３に記載の、湾曲形切断する刃５５を示す、なを、先に切断する刃５０を示している、支持体３９
〔００２５〕
図１７は、請求項３に記載の、すり鉢形切断する刃５６を示す、なを、先に切断する刃５０を示している、支持体３９
〔００２６〕
図１８は、請求項３に記載の、直線形切断する刃５７を示す、なを、先に切断する刃５０を示している、支持体３９
〔００２７〕
図１９は、請求項３に記載の、長短形切断する刃５８を示す、なを、長く突出した刃４４が先に切断する刃５０になっている、短くした刃４５が継続して残余の部分を切断して切断が完了することを示している、支持体３９
〔００２８〕
図２０は、請求項４（ａ）に記載の自由可動の回転補助具を兼用する飛び出し防止具５９が、収納したラップフイルム２５を巻装した状態を示している、なを、蓋開閉補助具１５を蓋１１に連設したことを示す、取り出し部６０、諸刃形切断する刃１９、連設部分３６、収納ケース本体６、収納ケース本体前面上端に設けた飛び出し防止具２１を示す
〔００２９〕
図２１は、図２０に示す蓋１１を開きラップフイルム２５を収納ケース本体６内に着脱する途中を示す、自由可動の回転補助具を兼用する飛び出し防止具５９の端に設けている取り出し部分６０を摘み、手前に引くとラップフイルム２５は安易に脱出可能になっている、図の状態から下方に軽く押さえると安易に収納が完了し図２０に示す状態となることを示している、蓋開閉補助具１５、諸刃形切断する刃１９、ラップフイルムの端部分２６、飛び出し防止具２１、収納ケース本体前面上端に設けた飛び出し防止具２１を示す
〔００３０〕
図２２は、請求項４（ｂ）に記載の別途に設けた防止具６１を示している、なを、防止具６１内にラップフイルム２５の収納は横穴６３から収納する、弾力性がある材質を用い防止具６１を設けた場合は引き出し口２４の開閉が自由自在になるので引き出し口２４からも収納可能になる、長期間使用可能な材質を用い防止具６１を設けた場合は半永久的に使用可能となり着脱の心配もなくなり快適に使用可能になる、防止具６１の内周を円形状にしたことで使用分引き出し時ラップフイルム２５の回転がよくなり安易に且快適に使用可能となる、台板６２、取り出し部分６０、横穴６３となっている
〔００３１〕
図２３は、図２２に示す防止具６１を収納ケース本体６内に収納したことを示す、なを、連設部分３６、蓋１１、別途に設けた防止具６１、取り出し部分６０、蓋開閉補助具１５、諸刃形切断する刃１９、ラップフイルムの端部分２６、ラップフイルム２５、台板６２となっている
〔００３２〕
図２４は、従来のラップフイルム収納ケース４２に本発明の切断する刃のなかより１を選択し、選択した切断する刃の先端３１が収納ケース本体前面３２を指向可能に接合したことを示す、蓋開閉補助具１５を蓋１１に連設したことを示す、なを、蓋開閉補助具１５は接合も可能になっている、連設部分３６
〔００３３〕
図２５は、請求項１に記載の収納ケース後面上端１２に、請求項２に記載の後面側蓋２９を連設し、双方を複合して収納ケースを、設けたことを示している、なを、請求項１、請求項２の各々の部分を選択接合してラップフイルム収納ケースを設けるも可能なことを示す、収納ケース本体６、連設部分３６、前面側蓋の横左垂下面３３、蓋開閉補助具１５、前面側蓋３０、前面側蓋の前面垂下面３５、前面垂下面下部１６、前面側蓋の横右垂下
2005035665.tif 000038
曲した切断する刃４６、支持体３９、自由可動の飛び出し防止具３８、取り出し口２３、引き出し口２４、短くした刃４５、直立面１４、長く突出した刃４４、切断する刃の先端３１、カーブを有する回転補助具２２、収納ケース本体前面３２となつている
〔００３４〕
図２６は、従来のラップフイルム収納ケース本体４２後面上端に連設している蓋１１が有する前面垂下面１６に、従来の切断する刃４７を接合した状態を示す、切断する刃の先端３１は前面垂下面１６と同方向を指向し下向きになつている、使用分を引き出したラップフイルム２５をラップフイルムの端部分２６の方行に引くと、従来の切断する刃の横側４３に当る故に収納ケース本体４２を内側にこねて切断していることを示す、連設部分３６となっている。
〔００３５〕
図２７は、請求項５に記載の補強物質４８を有する蓋開閉補助具１５を別途に設け、従来のラップフイルム収納ケース４２の蓋１１の前面垂下面１０に接合したことを示す、なを、補強物質４８を前面垂下面１０とほぼ同形にして補強することによつてラップフイルムを切断時に親指を軽くそえるだけで切断が可能になることを示す、従来の切断する刃４７となつている
〔００３６〕
図２８は、補強物質４８を有する蓋開閉補助具１５を別途に設けたことを示す、なを、補強物質４８、蓋開閉補助具１５の形状は用途にあわせ変更可能になっている。
〔００３７〕
図２９は、従来の切断する刃４７の先部分を折曲して、収納ケース本体前面３２を指向可能にし、従来のラップフイルム収納ケース本体４２の、蓋１１が有する前面垂下面１０に接合したことを示す、なを、本発明の切断する刃は用途にあわせ使用可能になつている
〔００３８〕
図３０は、取り出し口２３の形状及び取り出し口２３を設ける位置を自由に変化させて各々に適合可能に成形して使用することを示している
〔００３９〕
図３１は、前面垂下面上部６４を分厚くし前面垂下面下部１６とに段差をつけて諸刃形切断する刃１９をカバー可能な形状に成形したことを示している、なを、蓋の開閉にともなって同開閉を行う飛び出し防止具１８をはじめ各々の箇所の形状は適合可能に自由に成形して使用することを示し、さらに切断する刃の接合は着脱自在なことを示している
〔産業上の利用可能性〕
〔００４０〕
従来のラップフイルム収納ケースに変り、各家庭、商店、料亭、旅館、等で大活躍することが充分に考えられる
〔図面の簡単な説明〕
〔００４１〕
〔図１〕請求項１に記載の実施の形態を示す、立体図
〔図２〕ラップフイルムを使用分引き出した状態を示す、側面図
〔図３〕ラップフイルムを切断時の状態を示す、側面図
〔図４〕請求項２に記載の実施の形態を示す、立体図
〔図５〕後面側蓋、前面側蓋が開放したことを示す、側面図
〔図６〕ラップフイルムを切断時の状態を示す、側面図
〔図７〕定位置止めを示す、側面図
〔図８〕自由可動の飛び出し防止具が定位置で止まつたことを示す、側面図
〔図９〕自由可動の飛び出し防止具は後面側蓋に連設も可能なことを示す、側面図
〔図１０〕諸刃形切断する刃を示す、斜視図
〔図１１〕すべり台形切断する刃を示す、斜視図
〔図１２〕波うねり形切断する刃を示す、斜視図
〔図１３〕傾斜形切断する刃を示す、斜視図
〔図１４〕凹部形切断する刃を示す、斜視図
〔図１５〕凸部形切断する刃を示す、斜視図
〔図１６〕湾曲形切断する刃を示す、斜視図
〔図１７〕すり鉢形切断する刃を示す、斜視図
〔図１８〕直線形切断する刃を示す、斜視図
〔図１９〕長短形切断する刃を示す、斜視図
〔図２０〕自由可動の回転補助具を兼用する飛び出し防止具がラップフイルムを巻装状態としたことを示す、側面図
〔図２１〕ラップフイルムの着脱の途中を示す、側面図
〔図２２〕請求項４（ｂ）に記載の防止具の形態を示す、立体図
〔図２３〕図２２に示す防止具を収納ケース本体内に定着したことを示す、側面図
〔図２４〕従来のラップフイルム収納ケースに本発明の切断する刃を接合し、なを蓋開閉補助具を連設したことを示す、側面図
〔図２５〕請求項１に示す収納ケース本体部分、請求項２に示す蓋部分を選択接合し、ラップフイルム収納ケースを設けたことを示す、立体図
〔図２６〕従来のラップフイルム収納ケースを示す、側面図
〔図２７〕補強物質を有する蓋開閉補助具を従来のラップフイルム収納ケースの前面垂下面に接合したことを示す、立体図
〔図２８〕補強物質を有する蓋開閉補助具を別途に設けたことを示す、立体図
〔図２９〕従来のラップフイルム収納ケースに接合している切断する刃の先部分を折曲も収納ケース本体前面を指向させたことを示す、立体図
〔図３０〕取り出し口を適合可能に成形したことを示す、側面図
〔図３１〕前面垂下面上部を始め必要とする箇所を適合可能に成形したことを示す側面図
〔符号の説明〕
〔００４２〕
１  前面
２  後面
３  横左面
４  横右面
５  底板
６  収納ケース本体
７  天板
８  横左垂下面
９  横右垂下面
１０  前面垂下面
１１  蓋
１２  収納ケース本体後面上端
１３  溝状の空間
１４  直立面
１５  蓋開閉補助具
１６  前面垂下面下部
１７  蓋天板裏面
１８  蓋の開閉にともなって同開閉を行う飛び出し防止具
１９  諸刃形切断する刃
２０  直立面上部
２１  収納ケース本体前面上端に設けた飛び出し防止具
２２  カーブを有する回転補助具
２３  取り出し口
２４  引き出し口
２５  ラップフイルム
２６  ラップフイルムの端部分
２７  定位置止めを有し自由可動の飛び出し防止具
２８  Ｕ字形回路
２９  後面側蓋
３０  前面側蓋
３１  切断する刃の先端
３２  収納ケース本体前面
３３  前面側蓋の横左垂下面
３４  前面側蓋の横右垂下面
３５  前面側蓋の前面垂下面
３６  連設部分
３７  定位置止め
３８  自由可動の飛び出し防止具
３９  支持体
４０  いつぽうの刃先端
４１  他方を指向した刃先端
４２  従来のラップフイルム収納ケース本体
４３  従来の切断する刃の横側
４４  長く突出した刃
４５  短くした刃
2005035665.tif 000039
４７  従来の切断する刃
４８  補強物質
４９  すべり台形切断する刃
５０  先に切断する刃
５１  波うねり形切断する刃
５２  傾斜形切断する刃
５３  凹部形切断する刃
５４  凸部形切断する刃
５５  湾曲形切断する刃
５６  すり鉢形切断する刃
５７  直線形切断する刃
５８  長短形切断する刃
５９  自由可動の回転補助具を兼用する飛び出し防止具
６０  取り出し部分
６１  別途に設けた防止具
６２  台板
６３  横穴
６４  前面垂下面上部